(57)【要約】      （修正有）【課題】パソコン等電子機器の安定した載置と電子機器のスムーズな移動を両立させる事ができるパッド構造物を提供する。【解決手段】該電子機器１０のパッドをケーシング２００の底部に設置し、載置面と接触可能なスライド片１２０と、ケーシングの底部に設置され、載置面と着床可能なスキッド防止片１１０とから構成する。前記ケーシングを傾斜させたとき、前記スライド片が載置面上を移動し得るように、前記スライド片が載置面と接触し、同時にスキッド防止片が載置面から離隔する位置にスライド片とスキッド防止片をケーシングの底部に設置する。電子機器を移動する必要がある場合には、単に、電子機器の片側を傾斜して持ち上げ、スライド片の使用により載置面３０上での移動を実現できる。【選択図】図５
0003149337.tif 000002
【実用新案登録請求の範囲】
【請求項１】
電子機器のケーシングの底部に設置され、載置面と接触可能なスライド片と、ケーシングの底部に設置され、載置面と着床可能なスキッド防止片とから構成されるパッド構造物であって、
前記ケーシングを傾斜させたとき、前記スライド片が載置面上を移動し得るように前記スライド片が載置面と接触し、同時にスキッド防止片が載置面から離隔する位置に前記スライド片とスキッド防止片とをケーシングの底部に設置したことを特徴とする、
パッド構造物。
【請求項２】
請求項１において、前記スライド片の静止摩擦力が、前記スキッド防止片の静止摩擦力よりも小さいことを特徴とする、パッド構造物。
【請求項３】
請求項１において、前記スライド片は、前記ケーシングの前記底部上に一体的に設置されることを特徴とする、パッド構造物。
【請求項４】
請求項１において、前記スライド片は、連結部材により前記ケーシングの底部上に固定されたことを特徴とする、パッド構造物。
【請求項５】
請求項１において、前記スライド片は、前記スキッド防止片に隣接して設けられ、かつスライド片の下面が前記載置面から離隔するように、スキッド防止片がスライド片より突出していることを特徴とする、パッド構造物。
【請求項６】
請求項１において、前記スライド片は、前記スキッド防止片から離れた位置であって、スキッド防止片の前記ケーシングの底部中心に対して対称位置に配置されていることを特徴とする、パッド構造物。
【考案の詳細な説明】
【技術分野】
【０００１】
本考案はパッド構造物に関し、特にパソコン等の電子機器のケーシング底部に配置されるパッド構造物に関するものである。
【背景技術】
【０００２】
パソコン等の各種のコンピュータを机上の平らな載置面に載置するにあたり、これらの電子機器のケーシング底部に複数のパッドが配置されている。
パッドは電子機器を一定の高さに支持するとともに、電子機器のケーシング底部が載置面に直接接触して、電子機器の稼働中に発生する熱によって電子機器の性能が悪影響を受けることを回避するために機能するものである。
【０００３】
例えば、ラップトップコンピュータにおけるパッドは、その摩擦力により机の載置面で滑り難い状態で静置することができる。
電子機器のケーシング底部に配置されたパッドは、ゴムやプラスチック等のような大きな摩擦係数を有する材料で形成されていて、ネジ等の固定材によりケーシング底部に固着されているか、または接着剤によりケーシング底部に取着されている。
しかしながら、例えば、営業マンがラップトップコンピュータの画面に表示されたデータ類を顧客に示す場合、ラップトップコンピュータを回して画面を顧客に示さなければならないが、載置面との間の回転抵抗が大きいために机上からラップトップコンピュータ全体を持ち上げた状態で回転しなければならない。
更に、ラップトップコンピュータの画面に表示されたデータ類を顧客に示した後は、ユーザーが同一の持ち上げた状態での回転動作を繰り返して再びラップトップコンピュータを回転して元の位置に戻さなければならない。
従って、データを提示する都度、ラップトップコンピュータを頻繁に回転操作する必要があり、使用にあたり非常に不便である。
更に、ユーザーが机上のラップトップコンピュータの使用位置を変更する場合も、ラップトップコンピュータ全体を持ち上げて移動する必要があり、使用するうえで不便である。
またコンピュータ内の中央演算処理装置（ＣＰＵ）は、コンピュータの頻繁な上下動作に伴って生じる衝撃によって破損を受け易い。
また、コンピュータは机上などで着実に保持されないていないので、誤ってコンピュータが床に落下する危険がある。
【考案の開示】
【考案が解決しようとする課題】
【０００４】
本考案は以上の点に鑑みて成されたもので、その目的とするところは、従来技術の問題点を解決してコンプュータ等の電子機器を机上から持ち上げずに簡単に、かつ安全に動かすことができるパッド構造物を提供することにある。
【課題を解決するための手段】
【０００５】
本考案に係るパッド構造物は、電子機器のケーシングの底部に配置され、スライド片とスキッド防止片から構成される。
スキッド防止片は、載置面と接触して、材料の摩擦力による載置面との減速力を形成する。
スライド片の材料の静止摩擦力は、スキッド防止片の材料の摩擦力より小さいので、載置面とスライド片との間の摩擦抵抗は、載置面とスキッド片との間の摩擦抵抗より小さい。
【０００６】
電子機器のケーシングがスライド片により載置面上を移動できるように、スライド片を載置面に接触させた状態で、電子機器のケーシングを傾斜させてスキッド防止片を持ち上げて載置面から離隔する。
従って、載置面とスキッド防止片間の摩擦抵抗と、載置面とびスライド片間の摩擦抵抗差を利用することで、載置面上で電子機器を滞留したり、移動したりすることができる。
この方法により、ユーザーは載置面上で電子機器を容易に移動することができる。
【０００７】
本願の第１考案に係るパッド構造物は、ケーシングの底部に設置され、載置面と接触可能なスライド片と、ケーシングの底部に設置され、載置面と着床可能なスキッド防止片とから構成されるパッド構造物であって、前記ケーシングを傾斜させたとき、前記スライド片が載置面上を移動し得るように、前記スライド片が載置面と接触し、同時にスキッド防止片が載置面から離隔する位置にスライド片とスキッド防止片をケーシングの底部に設置したことを特徴とする。
本願の第２考案に係るパッド構造物は、前記第１考案において、前記スライド片の静止摩擦力が、前記スキッド防止片の静止摩擦力よりも小さいことを特徴とする。
本願の第３考案に係るパッド構造物は、前記第１考案において、前記スライド片は、前記ケーシングの前記底部上に一体的に設置されることを特徴とする。
本願の第４考案に係るパッド構造物は、前記第１考案において、前記スライド片は、連結部材により前記ケーシングの底部上に固定されたことを特徴とする。
本願の第５考案に係るパッド構造物は、前記第１考案において、前記スライド片は、前記スキッド防止片に隣接して設けられ、かつスライド片の下面が前記載置面から離隔するように、スキッド防止片がスライド片より突出していることを特徴とする。
本願の第６考案に係るパッド構造物は、前記第１考案において、前記スライド片は、前記スキッド防止片から離れた位置であって、スキッド防止片の前記ケーシングの底部中心に対して対称位置に配置されていることを特徴とする。
【考案の効果】
【０００８】
本考案に係るパッド構造物は、スキッド防止片により電子機器を載置面に安定して置くことができる。
電子機器を移動する必要がある場合には、単に、電子機器の片側を傾斜して持ち上げ、スライド片の使用により載置面上での移動を実現できる。
パッド構造物の構造は、簡単であり、載置面上で電子機器を固定するかまたは移動する目的を達成できるだけなく、製造コストも大幅に低減することができる。
【考案を実施するための最良の形態】
【０００９】
以下図面を参照しながら本考案を実施するための最良の形態について説明する。
本考案において、電子機器のハウジングとは、例えば、コンピュータ、ホストコンピュータ、およびディスプレイを備えた公知の電子機器のハウジングを含むものである。
【００１０】
図１Ａ〜１Ｃは本考案に係るパッド構造物１００を装備した電子機器１０の立体図を示す。
本考案に係るパッド構造物１００は、電子機器１０のケーシング２００の底部に配置されるもので、スキッド防止片(スリップ防止片)１１０とスライド片１２０を有する。
【００１１】
図１Ａはスライド片１２０をスキッド防止片１１０に隣接して設けた場合を示す。
この場合、スライド片１２０はスキッド防止片１１０に対してケーシング２００の縁により近い位置に設けるとよい。
【００１２】
また図１Ｂと図１Ｃはスライド片１２０をスキッド防止片１１０に対して相反する側（底部中心に対して点対称位置、又は線対称位置）のケーシング２００の底部に設けた場合を示す。
【００１３】
スライド片１２０は、アルミニウム・マグネシウム合金やガラス強化プラスチックのような小さな静止摩擦力を有する材料から製造されている。
【００１４】
スキッド防止片１１０は、ゴムやプラスチックのような大きな静止摩擦力を有する材料から製造されている。
【００１５】
スライド片１２０はケーシング２００の底部に一体的に設置する（図２Ａ,２Ｂ）場合の他に、ネジかプラグ等の連結部材５００によりケーシング２００の底部に固定してもよい（図２Ｃ）。
またスライド片１２０をスキッド防止片１１０に隣接して設ける場合、図２Ａ,２Ｂに示すように、スライド片１２０がスキッド防止片１１０に対してケーシング２００の縁部に近い位置に配設することが肝要である。
【００１６】
図３は本考案に係るパッド構造物１００を装備した電子機器１０の正面図である。
本考案によるパッド構造物１００を具備した電子機器１０を載置面３０に設置した場合、スキッド防止片１１０単独で電子機器のケースング２００を支持できるように、ケーシング２００の底部から下方へ向けてスキッド防止片１１０がスライド片１２０より突出している。
【００１７】
したがって、パッド構造物１００を具備した電子機器１０を載置面３０に設置した状態においては、スキッド防止片１１０のみが載置面３０に接触するため、電子機器１０が容易に移動できず、載置面３０上で安定的に載置できる。スキッド防止片１１０と載置面３０間の大きな静止摩擦力に起因して大きな滑り抵抗が生じるためである。
【００１８】
電子機器１０を載置面３０に設置した状態において、スライド片１２０と載置面３０の間には距離ｄは維持される。
そのため、スキッド防止片１１０の着床に伴い、スライド片１２０が載置面３０から離隔されるため、スキッド防止片１１０による摩擦低減作用の発揮を防止することができる。
【００１９】
距離ｄの高さは、スライド片１２０が下方に移動して載置面３０と接触するときに、電子機器のケーシング２００が載置面３０と接触しない高さである。
従って、載置面３０との接触により生じるケーシング２００の不要な摩耗を回避できる。
【００２０】
図４〜６は本考案に係るパッド構造物１００を装備した電子機器１０を移動操作する際の正面図である。
【００２１】
電子機器１０を移動する場合、まずスライド片１２０が載置面３０に接するまで電子機器１０の片側を持ち上げて傾斜させる。
電子機器１０を傾けるたむることで、スキッド防止片１１０が電子機器のケーシング２００とともに移動して、それまで接触していた載置面３０から離隔する。
【００２２】
このように電子機器１０を持ち上げることで、スキッド防止片１１０を載置面３０から離隔すると同時に、スライド片１２０を載置面３０に着床する。
【００２３】
摩擦係数の小さい素材で形成したスライド片１２０が載置面３０に着床することで、載置面３０とスライド片１２０間の移動抵抗が小さくなるため、ユーザは単にケーシング２００を持ち上げて容易に移動することができる。
【００２４】
図５はスライド片１２０と載置面３０の着床部を支点に電子機器１０を回転操作する場合を示し、図６はスライド片１２０を載置面３０に着床したままの状態で電子機器１０を希望する位置まで横移動する場合を示す。
【００２５】
このように電子機器１０を傾けるだけの操作で以って、電子機器１０の表示画面４００の表示方向を簡単に繰り返し変更することができる。
電子機器１０は、スライド片１２０のみを着床させることにより載置面３０上で着実に移動することができる。
【図面の簡単な説明】
【００２６】
【図１Ａ】本考案に係るパッド構造物を具備した電子機器の概略立体図
【図１Ｂ】本考案に係るパッド構造物を具備した電子機器の概略立体図
【図１Ｃ】本考案に係るパッド構造物を具備した電子機器の概略立体図
【図２Ａ】ケーシング上に一体的に形成されたスライド片の概略図
【図２Ｂ】ケーシング上に一体的に形成されたスライド片の概略図
【図２Ｃ】連結部材によりケーシング上に固定されたスライド片の概略図
【図３】本考案に係るパッド構造物を具備した電子機器の概略正面図
【図４】電子機器の片側を持ち上げて傾斜したときの概略図
【図５】電子機器が着床地点を中心に回転するときの概略図
【図６】電子機器が載置面上でスライドするときの概略図
【符号の説明】
【００２７】
１０・・・・・・電子機器
３０・・・・・・載置面
１００・・・・・パッド構造物
１１０・・・・・スキッド防止片
１２０・・・・・スライド片
２００・・・・・ケーシング
４００・・・・・表示画面
【図１Ａ】
0003149337.tif 000003
【図１Ｂ】
0003149337.tif 000004
【図１Ｃ】
0003149337.tif 000005
【図２Ａ】
0003149337.tif 000006
【図２Ｂ】
0003149337.tif 000007
【図２Ｃ】
0003149337.tif 000008
【図３】
0003149337.tif 000009
【図４】
0003149337.tif 000010
【図５】
0003149337.tif 000011
【図６】
0003149337.tif 000012
【手続補正書】
【提出日】平成21年1月20日(2009.1.20)
【手続補正１】
【補正対象書類名】実用新案登録請求の範囲
【補正対象項目名】請求項１
【補正方法】変更
【補正の内容】
【請求項１】
電子機器のケーシングの底部に設置され、載置面と接触して滑り移動可能なスライド片と、該スライド片に隣接してケーシングの底部に設置され、載置面と接触して滑り難いスキッド防止片とから構成されるパッド構造物であって、
前記スライド片はスキッド防止片に対してケーシングの縁により近い位置に設けられ、
前記ケーシングを傾斜させてスキッド防止片の下面を載置面から離隔させたとき、前記スライド片が単独で載置面と接触して載置面上を移動し得るように構成したことを特徴とする、
パッド構造物。
【手続補正２】
【補正対象書類名】明細書
【補正対象項目名】０００５
【補正方法】変更
【補正の内容】
【０００５】
本考案に係るパッド構造物は、電子機器のケーシングの底部に配置され、スライド片とスキッド防止片から構成される。
スキッド防止片は、載置面と接触したとき、材料の摩擦力によって載置面との間に減速力（滑り抵抗力）を形成する。
スライド片の材料の静止摩擦力は、スキッド防止片の材料の摩擦力より小さいので、載置面とスライド片との間の摩擦抵抗は、載置面とスキッド片との間の摩擦抵抗より小さい。
【手続補正３】
【補正対象書類名】明細書
【補正対象項目名】０００６
【補正方法】変更
【補正の内容】
【０００６】
電子機器のケーシングがスライド片により載置面上を移動できるように、電子機器のケーシングを持ち上げて傾斜させてスキッド防止片を載置面から離隔するとともに、スライド片を載置面に接触させる。
従って、載置面とスキッド防止片間の摩擦抵抗と、載置面とびスライド片間の摩擦抵抗差を利用することで、載置面上で電子機器を滞留したり、移動したりすることができる。
この方法により、ユーザーは載置面上で電子機器を容易に移動することができる。
【手続補正４】
【補正対象書類名】明細書
【補正対象項目名】０００７
【補正方法】変更
【補正の内容】
【０００７】
本願の第１考案に係るパッド構造物は、電子機器のケーシングの底部に設置され、載置面と接触して滑り移動可能なスライド片と、該スライド片に隣接してケーシングの底部に設置され、載置面と接触して滑り難いスキッド防止片とから構成されるパッド構造物であって、前記スライド片はスキッド防止片に対してケーシングの縁により近い位置に設けられ、前記ケーシングを傾斜させてスキッド防止片の下面を載置面から離隔させたとき、前記スライド片が単独で載置面と接触して載置面上を移動し得るように構成したことを特徴とする。
本願の第２考案に係るパッド構造物は、前記第１考案において、前記スライド片の静止摩擦力が、前記スキッド防止片の静止摩擦力よりも小さいことを特徴とする。
本願の第３考案に係るパッド構造物は、前記第１考案において、前記スライド片は、前記ケーシングの前記底部上に一体的に設置されることを特徴とする。
本願の第４考案に係るパッド構造物は、前記第１考案において、前記スライド片は、連結部材により前記ケーシングの底部上に固定されたことを特徴とする。
本願の第５考案に係るパッド構造物は、前記第１考案において、前記スライド片は、前記スキッド防止片に隣接して設けられ、かつスライド片の下面が前記載置面から離隔するように、スキッド防止片がスライド片より突出していることを特徴とする。
本願の第６考案に係るパッド構造物は、前記第１考案において、前記スライド片は、前記スキッド防止片から離れた位置であって、スキッド防止片の前記ケーシングの底部中心に対して対称位置に配置されていることを特徴とする。
【手続補正５】
【補正対象書類名】明細書
【補正対象項目名】００２１
【補正方法】変更
【補正の内容】
【００２１】
電子機器１０を移動する場合、まずスライド片１２０が載置面３０に接するまで電子機器１０の片側を持ち上げて傾斜させる。
電子機器１０を傾けることで、スキッド防止片１１０が電子機器のケーシング２００とともに移動して、それまで接触していた載置面３０から離隔する。